(57)【特許請求の範囲】
【請求項１】
沈殿物を含む液体を入れるポットであって、
上部に開口部を有する容器と、
該容器の側部において底部から該上部にかけて立ち上がる注ぎ口を有するポット本体と、
該容器の内側に取り外し可能に装着される内筒と、を備え、
該内筒の側面には、上方から見て重ならない位置に高さ位置がそれぞれ異なる複数の貫通孔を備え、
該容器の側部には、該注ぎ口に連通する穴が該底部から上部に亘って形成され、
該内筒を回転させることにより複数の該貫通孔のいずれかを該穴に選択的に重ね合わせて該注ぎ口から液体を注ぐことを特徴とするポット。
【請求項２】
前記ポットは、蓋を備え、
前記内筒の上部につまみ部が設けられ、
該蓋は、該つまみ部が挿入される挿入孔を備え、
該蓋を回すと該内筒が回転することを特徴とする請求項１記載のポット。
【請求項３】
前記内筒の前記貫通孔は、３つからなり、上方から見て１２０°間隔に設けられることを特徴とする請求項１または請求項２記載のポット。
【発明の詳細な説明】
【技術分野】
【０００１】
本発明は、沈殿物を含む飲料を入れるポットに関する。
【背景技術】
【０００２】
そば湯、濁酒、または甘酒などの沈殿物を含む飲料には、沈殿物をあまり含まない上澄みの薄い部分、沈殿物を多く含む濃い部分、あるいは中間の部分などがあり、人によって飲料の濃度の好みが分かれている。
【０００３】
沈殿物を含む飲料を入れる容器としては、湯桶やティーポット等が一般的に用いられている（例えば、下記の特許文献１を参照）。このような容器に沈殿物を含む飲料を入れて、湯呑み茶碗などに飲料を注ぐことにより、飲料の風味を楽しむことができる。
【先行技術文献】
【特許文献】
【０００４】
【特許文献１】実開昭５５−５８１３号公報
【発明の概要】
【発明が解決しようとする課題】
【０００５】
しかし、上記のような容器を使用して沈殿物を含む飲料を湯呑み茶碗などに注ぐ場合、好みの濃度の液体を選択して抽出することができないという問題がある。
【０００６】
本発明は、上記の事情にかんがみてなされたものであり、ポットで沈殿物を含む飲料を注ぐ際に、好みの部分のみを抽出できるようにすることを目的としている。
【課題を解決するための手段】
【０００７】
本発明は、沈殿物を含む液体を入れるポットであって、上部に開口部を有する容器と、
該容器の側部において底部から該上部にかけて立ち上がる注ぎ口を有するポット本体と、該容器の内側に取り外し可能に装着される内筒と、を備え、該内筒の側面には、上方から見て重ならない位置に高さ位置がそれぞれ異なる複数の貫通孔を備え、該容器の側部には、該注ぎ口に連通する穴が該底部から上部に亘って形成され、該内筒を回転させることにより複数の該貫通孔のいずれかを該穴に選択的に重ね合わせて該注ぎ口から液体を注ぐことを特徴とする。
【０００８】
上記ポットは、蓋を備え、上記内筒の上部につまみ部が設けられ、該蓋は、該つまみ部が挿入される挿入孔を備え、該蓋を回すと該内筒が回転することが望ましい。
【０００９】
上記内筒の上記貫通孔は、３つからなり、上方から見て１２０°間隔に設けられることが望ましい。
【発明の効果】
【００１０】
本発明にかかるポットは、上部に開口部を有する容器と、該容器の側部において底部から該上部にかけて立ち上がる注ぎ口を有するポット本体と、該容器の内側に取り外し可能に装着される内筒と、を備え、該内筒の側面には、上方から見て重ならない位置に高さ位置がそれぞれ異なる複数の貫通孔を備え、該容器の側部には、該注ぎ口に連通する穴を該底部から上部に亘って形成したため、内筒を回転させることにより、複数の該貫通孔のいずれかを該穴に選択的に重ね合わせることにより、好みの濃度の液体を抽出して該注ぎ口から注ぐことができる。
【００１１】
また、本発明にかかるポットは、蓋を備え、上記内筒の上部にはつまみ部が設けられ、該蓋は、該つまみ部が挿入される挿入孔を備え、該蓋を回すことにより該内筒が回転するように構成したため、該つまみ部を該挿入孔に挿入して該蓋から突出させて、該内筒の上に該蓋を被せた状態のまま該つまみ部を回すことにより、内筒を回転させ、複数の該貫通孔のいずれかを該穴に選択的に重ね合わせることができる。
【００１２】
上記内筒の上記貫通孔は、３つからなり、各貫通孔は、内筒の上方からみて１２０°間隔にそれぞれ設けたため、該内筒を回転させて貫通孔のいずれかを上記穴に容易に重ね合わせるとともに、該穴に重ならない貫通孔を該穴から離れた位置に位置づけることができる。これにより、好みの濃度の液体を確実に抽出して上記ポット本体の上記注ぎ口から注ぐことができる。
【図面の簡単な説明】
【００１３】
【図１】ポットの第一例の構成を示す斜視図である。
【図２】（ａ）は、側部に導入口が形成された容器に内筒が装着された状態を示す側面図である。（ｂ）は、注ぎ口に連通する導入口の構成を示す斜視図である。
【図３】（ａ）は、側部に導入口の変形例が形成された容器に内筒が装着された状態を示す側面図である。（ｂ）は、注ぎ口に連通する導入口の変形例の構成を示す斜視図である。
【図４】ポットの第一例の使用状態を説明する斜視図である。
【図５】ポットの第二例の構成を示す斜視図である。
【図６】ポットの第二例のうち、内筒の構成を上方側からみた平面図である。
【図７】ポットの第二例の使用状態を説明する斜視図である。
【発明を実施するための形態】
【００１４】
図１に示すポット１は、沈殿物を含む液体を入れるポットの第一例である。ポット１は、上部に開口部２０を有する容器２と、容器２の側部２２ａにおいて底部２１から上部にかけて立ち上がる注ぎ口３０を有するポット本体３と、容器２の内側に取り外し可能に装着される内筒４と、内筒４の上に被せる蓋５とを備える。蓋５の上面中央には、突起部５０が取り付けられており、突起部５０を把持して内筒４の上部に対して蓋５を被せたり外したりすることができる。
【００１５】
内筒４は、中央部分において表裏が貫通し液体の流路となる流入孔４０を有している。内筒４の外径は、容器２の開口部２０の内径よりもわずかに小さく設定されており、内筒４が容器２の内側に密着して装着されるように構成されている。内筒４の外周上部には、耳部４４が取り付けられており、耳部４４を掴んで内筒４を水平方向に回転させることができる。
【００１６】
内筒４の側面には、内筒４を上方から見て重ならない位置に、高さ位置がそれぞれ異なる複数の貫通孔を備える。複数の貫通孔は、内筒４の側面において、最も低い位置に形成された低位置貫通孔４１と、最も高い位置に形成された高位置貫通孔４３と、低位置貫通孔４１と高位置貫通孔４３との中間の位置に形成された中位置貫通孔４２とからなる。低位置貫通孔４１は、沈殿物を多く含む濃い液体をポット本体３の注ぎ口３０に供給する供給口として機能する。また、高位置貫通孔４３は、沈殿物をあまり含まない薄い液体をポット本体３の注ぎ口３０に供給する供給口として機能する。さらに、中位置貫通孔４２は、沈殿物を含みすぎない中間部分の液体をポット本体３の注ぎ口３０に供給する供給口として機能する。
【００１７】
容器２の底部２１は、閉じられており、容器２の内側に内筒４を収容することができる。ポット本体３の注ぎ口３０の形状や大きさは特に限定されない。図示の例における注ぎ口３０は、その先端が先細りしており、液体を注ぎやすい構成にしている。容器２の側部２２ｂには、取っ手３１が取り付けられている。例えば、取っ手３１を把持して容器２を持ち運ぶことができる。
【００１８】
図２（ａ）に示すように、容器２の側部２２ａには、容器２の底部２１から上部に亘る導入口３２が形成されている。導入口３２は、内筒４の側面に形成された低位置貫通孔４１、中位置貫通孔４２及び高位置貫通孔４３（不図示）を全てカバーする一連の長穴となっている。導入口３２は、図２（ｂ）に示すように、ポット本体３の注ぎ口３０に連通しており、低位置貫通孔４１、中位置貫通孔４２、高位置貫通孔４３のいずれかを導入口３２に重ね合わせることにより、ポット本体３の注ぎ口３０から所望の濃度の液体を注ぐことが可能となる。
【００１９】
導入口３２は、上記の長穴の構成に限定されない。例えば、図３（ａ）に示す容器２ａのように、その側部２２ａにおいて、内筒４に形成される各貫通孔の位置に合わせた位置にのみ導入口を形成してもよい。すなわち、容器２ａの側部２２ａにおいて、内筒４の側面に形成された低位置貫通孔４１、中位置貫通孔４２、高位置貫通孔４３（不図示）にそれぞれ対応させた位置にのみ導入口３３（図示の例では３つ）を形成する。各導入口３３は、図３（ｂ）に示すように、ポット本体３ａの注ぎ口３０にそれぞれ連通しており、低位置貫通孔４１、中位置貫通孔４２、高位置貫通孔４３のいずれかをそれぞれの導入口３３に重ね合わせることにより、ポット本体３ａの注ぎ口３０から所望の濃度の液体を注ぐことが可能となる。３つの導入口３３が形成された容器２ａの側部２２ａに、図２（ｂ）に示したポット本体３を取り付けてもよく、各導入口３３がポット本体３の注ぎ口３０に連通するように構成してもよい。
【００２０】
次に、ポット１を用いて沈殿物を含む液体を注ぐ使用例について説明する。沈殿物を含む液体は、特に限定されるものではなく、例えば、そば湯、濁酒、甘酒、果肉入り飲料等の沈殿物を含む飲料が挙げられる。以下では、そば湯をポット１に入れて注ぐ場合について説明する。
【００２１】
まず、図１に示した容器２の開口部２０に内筒４を入れて容器２の内側に装着する。その後、内筒４の流入孔４０にそば湯を入れて、容器２にそば湯を溜める。ここで、そば湯の好みの濃さが、例えば沈殿物を多く含む濃い部分であれば、耳部４４を摘んで内筒４を回転させることにより、図２（ａ）に示すように、低位置貫通孔４１を選択して導入口３２に重ね合わせる。
【００２２】
次いで、図４に示すポット１のように、蓋５を内筒４の上に被せて、ポット１でそば湯を注ぐ。すなわち、取っ手３１を掴んでポット１を傾けることにより、ポット本体３の注ぎ口３０から濃い部分のそば湯を容器（例えば、湯呑み茶碗）に注ぐ。このとき、内筒４は、容器２の内側で密着しているため、図２（ａ）に示した導入口３２に重なっていない中位置貫通孔４２及び高位置貫通孔４３から、選択していない濃度のそば湯がポット本体３に流れ込むことがない。
【００２３】
このように、ポット１は、容器２に装着される内筒４の側面に、上方側から見て重ならない位置に高さ位置がそれぞれ異なる低位置貫通孔４１、中位置貫通孔４２、高位置貫通孔４３を備え、容器２の側部２２ａに底部２１から上部に亘る導入口３２を形成したため、容器２の内側に内筒４を装着した後、内筒４の流入孔４０に沈殿物を含む液体を入れた状態で内筒４を回転させ、低位置貫通孔４１、中位置貫通孔４２、高位置貫通孔４３のいずれかを選択して導入口３２に重ね合わせることにより、沈殿物を多く含む濃い部分と、沈殿物をあまり含まない上澄みの薄い部分と、中間部分との少なくとも３つの中から好みの濃度の液体を抽出してポット本体３の注ぎ口３０から注ぐことができる。
【００２４】
図５に示すポット１ａは、沈殿物を含む液体を入れるポットの第二例であって、上記した容器２と、ポット本体３と、容器２の内側に取り外し可能に装着される内筒６と、内筒６の上に被せる蓋７とを備える。内筒６は、上記した内筒４と同様に、中央部分において表裏が貫通し液体の流路となる流入孔６０を有している。また、内筒６の外径は、上記の内筒４と同様に、容器２の開口部２０の内径よりもわずかに小さく設定されている。
【００２５】
内筒６の側面には、内筒６を上方から見て重ならない位置に、最も低い位置に形成された低位置貫通孔６１と、最も高い位置に形成された高位置貫通孔６３と、低位置貫通孔６１と高位置貫通孔６３との中間の位置に形成された中位置貫通孔６２とを備える。これら３つの貫通孔は、図６に示すように、内筒６を上方側から見て、隣り合う貫通孔との間に１２０°の間隔が設けられている。すなわち、低位置貫通孔６１と高位置貫通孔６３との間と、低位置貫通孔６１と中位置貫通孔６２との間と、中位置貫通孔６２と高位置貫通孔６３との間のそれぞれに１２０°の間隔が設けられている。各貫通孔の機能としては、上記したポット１における各貫通孔と同様である。
【００２６】
図５に示すように、内筒６の上部には、つまみ部６４が配設されている。蓋７には、つまみ部６４が挿入される挿入孔７１が形成されている。蓋７の挿入孔７１につまみ部６４を挿入させて蓋７を内筒６に被せた状態で、つまみ部６４を回すと、蓋７ごと内筒６を回転させることができる。なお、挿入孔７１を用いずに、蓋７においてつまみ部６４を貫通させない凹部を形成し、該凹部につまみ部６４を係合させる構成にしてもよい。
【００２７】
蓋７の上面中央には、突起部７０が取り付けられている。また、蓋７には、内筒６の側面に形成された各貫通孔の位置の目印が記載されている。目印の表示内容は特に限定されず、蓋７の周縁において、低位置貫通孔６１に対応する位置に例えば「下」と印字され、中位置貫通孔６２に対応する位置に例えば「中間」と印字され、高位置貫通孔６３に対応する位置に例えば「上」と印字されている。そして、これらの目印にしたがい、内筒４のつまみ部６４を回すことにより、低位置貫通孔６１、中位置貫通孔６２、高位置貫通孔６３のいずれかをポット本体３の側面の導入口に容易に重ね合わせることができる。
【００２８】
次に、ポット１ａを用いてそば湯を注ぐ使用例について説明する。図５に示す容器２の開口部２０に内筒６を入れて容器２の内側に装着したら、内筒６の流入孔６０にそば湯を入れて容器２内に溜める。続いて、図７に示すように、蓋７の挿入孔７１に内筒６のつまみ部６４を挿入して蓋７を内筒６に被せる。
【００２９】
ここで、液体の好みの濃さが、例えば、沈殿物を含みすぎない中間部分であれば、つまみ部６４をつまんで蓋７ごと内筒６を回転させ、蓋７の「中間」をポット本体３の位置に合わせる。このようにして中位置貫通孔６２を容器２の側部の導入口（不図示）に重ね合わせる。このとき、導入口に重なっていない図６に示した内筒６の低位置貫通孔６１及び高位置貫通孔６３は、中位置貫通孔６２との間に１２０°の間隔があいているため、ポット本体３から離れた位置に位置づけられる。
【００３０】
次いで、取っ手３１を掴んでポット１ａを傾けて、ポット本体３の注ぎ口３０から中間部分のそば湯を湯呑み茶碗に注ぐ。このとき、内筒６は、容器２の内側で密着しているとともに、低位置貫通孔６１及び高位置貫通孔６３がポット本体３から離れた位置に位置づけられていることから、底位置貫通孔６１及び高位置貫通孔６３から選択していない濃度のそば湯がポット本体３に流れ込むことはない。
【００３１】
このように、ポット１ａは、内筒６の外周上部につまみ部６４が配設され、蓋７には、つまみ部６４の位置に対応させて、つまみ部６４が挿入される挿入孔７１を備え、内筒６を上方側から見て３つの貫通孔がそれぞれ１２０°の間隔を設け、蓋７に各貫通孔の位置の目印を備えたため、容器２の内側に内筒６を装着させた後、蓋７で内筒６の上に被せたまま、目印にしたがい、つまみ部６４で内筒６を回転させることにより、低位置貫通孔６１、中位置貫通孔６２、高位置貫通孔６３のいずれかを選択して導入口に容易に重ね合わせることができる。これにより、好みの濃度の液体を抽出してポット本体３の注ぎ口３０から注ぐことができる。
【００３２】
なお、実施形態に示す内筒４，６の側面には、３つの貫通孔を形成した場合を説明したが、貫通孔の数は３つに限定されない。例えば、内筒４，６の側面において、２つの貫通孔を備える構成にしてもよい。また、内筒４，６の下部に底を設けて閉じることにより、内筒４，６の中央部分において表裏が貫通しない構成にしてもよい。
【符号の説明】
【００３３】
１，１ａ：ポット  ２，２ａ：容器  ２０：開口部  ２１：底部  ２２ａ，２２ｂ：側部
３，３ａ：ポット本体  ３０：注ぎ口  ３１：取っ手  ３２，３３：導入口
４：内筒  ４０：流入孔  ４１：低位置貫通孔  ４２：中位置貫通孔
４３：高位置貫通孔  ４４：耳部  ５：蓋  ５０：突起部
６：内筒  ６０：流入孔  ６１：低位置貫通孔  ６２：中位置貫通孔  
６３：高位置貫通孔  ６４：つまみ部
７：蓋  ７０：突起部  ７１：挿入孔
【図１】
0006506642.tif 000002
【図２】
0006506642.tif 000003
【図３】
0006506642.tif 000004
【図４】
0006506642.tif 000005
【図５】
0006506642.tif 000006
【図６】
0006506642.tif 000007
【図７】
0006506642.tif 000008